(57)【要約】【課題】第２の装置に接続してオペレータが使用し、第２の装置の第２電源の状態を、第２の装置の第２電源の電力消費を増加させずに確認できる第１の装置の実現。【解決手段】入力される第１電源52および第２電源62の一方を選択して出力する選択部81と、選択部とベース電源間に直列に接続された導通部83および表示素子82と、を有し、選択部は、第１の電源がオンである時には第１の電源を出力するように選択し、第１の電源がオフである時には第２の電源を出力するように選択し、導通部は、第２の電源がオンである時に電流を流すように動作し、表示素子は、導通部に電流が流れる時に第２の電源がオンであることを示す表示を行う表示回路。【選択図】図２
2014060339.tif 000002
【特許請求の範囲】
【請求項１】
入力される第１の電源および第２の電源の一方を選択して出力する選択部と、
前記選択部とベース電源間に直列に接続された導通部および表示素子と、を備え、
前記選択部は、前記第１の電源がオンである時には前記第１の電源を出力するように選択し、前記第１の電源がオフである時には前記第２の電源を出力するように選択し、
前記導通部は、前記第２の電源がオンである時に電流を流すように動作し、
前記表示素子は、前記導通部に電流が流れる時に前記第２の電源がオンであることを示す表示を行う、ことを特徴とする表示回路。
【請求項２】
入力される第１の電源および第２の電源の一方を選択して出力する選択部と、
前記選択部とベース電源間に直列に接続された導通部および表示素子と、を備え、
前記選択部は、前記第１の電源がオンである時には前記第１の電源を出力するように選択し、前記第１の電源がオフである時には前記第２の電源を出力するように選択し、
前記導通部は、前記第２の電源がオンである時に電流を流すように動作し、
前記表示素子は、前記導通部に電流が流れる時に前記第２の電源がオンであることを示す表示を行う、ことを特徴とする半導体装置。
【請求項３】
第１主回路および第１の電源を含む第１の装置と、
第２主回路および第２の電源を含む第２の装置と、
前記第１の装置と前記第２の装置の間に設けられた信号経路および前記第２の電源の電源線と、を備える遠隔システムであって、
前記第１の装置は表示回路を備え、
前記表示回路は、
入力される前記第１の電源および前記第２の電源の一方を選択して出力する選択部と、
前記選択部とベース電源間に直列に接続された導通部および表示素子と、を備え、
前記選択部は、前記第１の電源がオンである時には前記第１の電源を出力するように選択し、前記第１の電源がオフである時には前記第２の電源を出力するように選択し、
前記導通部は、前記第２の電源がオンである時に電流を流すように動作し、
前記表示素子は、前記導通部に電流が流れる時に前記第２の電源がオンであることを示す表示を行う、ことを特徴とする遠隔システム。
【請求項４】
前記第１の装置は、前記第２の装置がオンであるかまたはオフであるかに応じて、電源投入が制限される請求項３記載の遠隔システム。
【請求項５】
前記第２の装置は、前記第１の装置の配置場所からは、直接見えない場所に配置される請求項３または４記載の遠隔システム。
【発明の詳細な説明】
【技術分野】
【０００１】
本発明は、表示回路、半導体装置および遠隔システムに関する。
【背景技術】
【０００２】
筐体内や遠隔地など直接見えない場所に配置された相手装置に、信号経路等を介して操作装置を接続し、ユーザが操作装置を操作して、相手装置からのデータの収集、相手装置への新たな指令の送信等を行う場合がある。例えば、直接見えない場所に配置されたセンサやデータロガーから制御ユニットがデータを収集する場合である。この場合、センサまたはデータロガーが相手装置に、制御ユニットが操作装置に対応する。また、データロガーで見えない場所に配置された複数のセンサからデータを収集して記憶する場合もあり、そのような場合には、センサが相手装置に、データロガーが操作装置に対応する。以下、見える場所に配置される装置（ここでは操作装置）を第１の装置、見えない場所に配置される装置（ここでは相手装置）を第２の装置と称し、第１の装置、第２の装置およびそれらの間の通信経路を含むシステムを遠隔システムと称する。
【０００３】
このような遠隔システムでは、信号経路を介して、第２の装置を第１の装置に接続するため、信号経路を形成するケーブルの一方の端を第２の装置に接続し、第２の装置からケーブルが伸びた状態にする。この状態で、他方の端に第１の装置を接続し、第１の装置から第２の装置を操作する。第２の装置を動作させるための第２電源は、各種の方法で供給することができる。例えば、第２の装置から電源ケーブルを伸ばし、外部に設けた電源から電源ケーブルを介して電力を供給し、第２の装置内に設けた第２電源により第２の装置内で必要とする電源で生成する。また、電源ケーブルをＡＣ電源線として、第２の装置内に設けたＡＣ−ＤＣ変換器能を有する第２電源で第２の装置内で必要とする電源で生成する場合もある。これらの場合は、外部からの電源供給を行わない場合には、第２の装置内に設けた第２電源はオフ状態である。また、第２の装置内に電池等を含む第２電源を設ける場合もあり、この場合は、電源ケーブルを設ける必要はない。なお、第１の装置の第１電源についても、第２電源と同様の構成があり得る。
【０００４】
ここで、第２の装置は、第１の装置と接続していることが必須の稼動条件ではなく、第１の装置が接続されていない状態でも、第２の装置は動作を行っており、必要に応じて一時的に第１の装置を接続して、第１の装置から第２の装置を操作する場合がある。例えば、システム内に多数のセンサが配置され、多数のセンサからの信号経路に、１台のデータロガーを順次接続し、定期的にデータを収集する場合である。この場合、通常、第２の装置からの信号経路の端には第１の装置は接続されておらず、必要に応じて随時第１の装置を接続することになる。
【０００５】
このような使用方法においては、第１の装置において、第２の装置の第２電源の状態を知ることが重要となる場合がある。例えば、第２電源がオフの状態で第１の装置を介して操作を行うと、第２の装置が操作に応じた動作を行っていないにもかかわらず、誤って操作が終了したと判断する場合が起こり得る。具体的には、第２の装置がセンサで、第２電源がオンしていないために、第２の装置が正常な検出信号を出力していないにもかかわらず、第２電源の状態が確認できないために、正常な検出信号であると誤認する場合である。また、サーキットエミュレータやプロトコルアナライザでは、見えない部分に検出部を配置し、そのデータを収集する場合があるが、このような装置では、いずれの側の電源を先に投入するかが規定されているものがある。このように、第２の装置の第２電源の状態を知ることが重要であり、これは、外部から第２の装置に電源を供給する場合も、第２電源が電池を含む場合も同様であり、第２電源の状態を確認することが求められる。
【０００６】
オペレータに電源の状態を知らせるには、ＬＥＤ等の表示素子を設け、電源の状態に応じて表示素子の表示状態を変化させるのが一般的である。しかし、前述のように、遠隔システムでは、第２の装置は、第１の装置が配置される場所からは直接見えない場所に配置される。そのため、第２の装置に表示素子を設けたのでは、第１の装置を操作するオペレータが第２の装置の第２電源の状態を確認することはできない。また、第２の装置が微小なスペースに配置する小型の機器である場合、第２の装置に表示素子を設けるのが難しい場合や、第２の装置に設けられていた表示素子を微小なスペースに配置するために取り外さなければならい場合もある。
【０００７】
そこで、第１の装置を操作するオペレータが第２の装置の第２電源の状態を確認可能にすることが求められている。
【先行技術文献】
【特許文献】
【０００８】
【特許文献１】実開平４−２７４９２号公報
【発明の概要】
【発明が解決しようとする課題】
【０００９】
しかも、近年の低消費電力設計において電力余裕をほとんど持たない電源設計が行われており、第２の装置の第２電源も低消費電力設計される。一般に、電源状態表示には、ＬＥＤ等の発光素子が使用されるが、表示素子を第２電源で駆動する場合、第２の装置の動作中には第２電源から表示素子に定常的に電力を供給することになり、第２の装置において想定外の電力消費が発生することになる。これにより、第２の装置の動作が不安定になり、第２電源が電池を含む場合には、電池の寿命を短くするという問題を生じる。
【００１０】
そのため、第２の装置の第２電源の状態を、第２の装置の第２電源の電力消費を増加させずに、オペレータの近傍の第１の装置で確認できるようにすることが要望されている。
【課題を解決するための手段】
【００１１】
実施形態の第１の観点によれば、表示回路は、入力される第１の電源および第２の電源の一方を選択して出力する選択部と、選択部とベース電源間に直列に接続された導通部および表示素子と、を有する。選択部は、第１の電源がオンである時には第１の電源を出力するように選択し、第１の電源がオフである時には第２の電源を出力するように選択する。導通部は、第２の電源がオンである時に電流を流すように動作し、表示素子は、導通部に電流が流れる時に第２の電源がオンであることを示す表示を行う。
【００１２】
実施形態の第２の観点によれば、遠隔システムは、第１の装置と、第２の装置と、第１の装置と第２の装置の間に設けられた信号経路および第２電源の電源線と、を有する。第１の装置は、第１主回路、第１電源および上記の表示回路を含み、第２の装置は、第２主回路および第２電源を含む。表示回路は、入力される第１の電源および第２の電源の一方を選択して出力する選択部と、選択部とベース電源間に直列に接続された導通部および表示素子と、を有する。選択部は、第１の電源がオンである時には第１の電源を出力するように選択し、第１の電源がオフである時には第２の電源を出力するように選択する。導通部は、第２の電源がオンである時に電流を流すように動作し、表示素子は、導通部に電流が流れる時に第２の電源がオンであることを示す表示を行う。
【発明の効果】
【００１３】
実施形態の第１の観点によれば、第２の装置の第２電源の状態を、第２の装置の第２電源の電力消費を増加させずに、第１電源を有する第１の装置で確認可能な表示回路が実現される。
【００１４】
実施形態の第２の観点によれば、第２の装置の第２電源の状態を、第２の装置の第２電源の電力消費を増加させずに、第１電源を有する第１の装置で確認可能な遠隔システムが実現される。
【図面の簡単な説明】
【００１５】
【図１】図１は、第２の装置の第２電源の状態を、第１の装置でまたはその近傍で確認可能にする遠隔システムの構成例を示す図であり、（Ａ）は第１の装置の近傍で確認可能にする場合を、（Ｂ）が第１の装置で確認可能にする場合を、それぞれ示す。
【図２】図２は、実施形態の遠隔システムの構成を示す図であり、（Ａ）が全体構成を、（Ｂ）が第２電源検出表示部の回路構成を示す図である。
【図３】図３は、第２電源検出表示部の具体的な回路例を示す図である。
【図４】図４は、第１の装置と第２の装置が接続状態である場合に、第１電源５２および第２電源の状態の組合せに応じた第２電源検出表示部の各部の動作状態を示す図である。
【発明を実施するための形態】
【００１６】
図１は、第２の装置の第２電源の状態を、第１の装置でまたはその近傍で確認可能にする遠隔システムの構成例を示す図であり、（Ａ）は第１の装置の近傍で確認可能にする場合を、（Ｂ）が第１の装置で確認可能にする場合を、それぞれ示す。
図１の（Ａ）の例では、遠隔システムは、第１の装置１０と、第２の装置２０と、第１の装置１０と第２の装置２０の間に設けられた信号経路３１と、第２の装置２０から伸びる電源線４１の端に設けられた表示素子４２と、を有する。なお、図示していないが、信号経路３１は、第１の装置１０と第２の装置２０の間の電源と信号の基準となるグランド線を含むものとする。
【００１７】
第１の装置１０は、オペレータが操作する装置で、第１の装置１０の機能を実現する第１主回路１１と、第１主回路１１に電源を供給する第１電源１２と、を有する。第１電源１２は、各種の方法で実現でき、例えば、第１の装置１０から外部に伸ばした電源ケーブルを介して電力を供給する。第１電源１２は、供給された電源から第１の装置１０内で必要とする電源で生成する。また、電源ケーブルをＡＣ電源線として、第１電源１２をＡＣ−ＤＣ変換器能を有するように構成してもよい。また、第１電源１２内に、電池を設けてもよい。いずれの場合も、第１の装置１０に第１電源１２のオン・オフを切り替えるスイッチを設け、オペレータが使用する時のみ第１電源１２をオンし、それ以外の場合はオフ状態にする。
【００１８】
第２の装置２０は、第１の装置１０を操作するオペレータからは直接見えない場所に配置される。例えば、第２の装置２０は、設備内の状態を検出するセンサであり、検出対象の場所に配置される。第２の装置２０は、第２の装置２０の機能を実現する第２主回路２１と、第２主回路２１に電源を供給する第２電源２２と、を有する。第２電源２２も、第１電源１２と、同様に実現できる。ただし、オペレータからは直接見えない手の届かない場所に配置されるため、第２の装置２０に第２電源２２をオン・オフ制御するスイッチを設けることはできない。そのため、スイッチを設けるのであれば、第２の装置２０から伸ばした信号線の先端に設け、オペレータが操作可能にする。また、第２電源２２に電源を供給する電源線またはＡＣ電源線を、電源を供給するか否か、オペレータが操作可能な位置まで伸ばして第２電源２２のオン・オフを制御するようにしてもよい。もし、第２電源２２が電池を含むのであれば、第２電源２２は、電池の寿命の範囲で常時オン状態である。
【００１９】
第１主回路１１と第２主回路２１は、信号経路３１で接続されており、例えば、第１の装置１０は、第２の装置２０が収集し蓄積したデータを、随時読み取るか、第２の装置２０に所定の指示を与えることが可能である。
【００２０】
表示素子４２は、第２の装置２０から伸びる電源線４１の端に接続され、内部に電源線４１の端に接続されたＬＥＤ４３を有する。なお、図示していないが、電源線４１は、第２電源２２とＬＥＤ４３の電源の基準となるグランド線を含むものとする。ＬＥＤ４３は、第２電源２２がオンの時には電源が供給されて点灯する。表示素子４２は、第１の装置１０を操作するオペレータが視認可能な場所に配置され、オペレータが第２電源２２の状態、すなわち第２電源２２がオンであるか否かが確認できる。なお、表示素子４２は、ＬＥＤ以外のものでも実現可能である。
【００２１】
前述のように、オペレータが第１の装置１０を操作する場合に、第２の装置２０の第２電源２２の状態を確認可能にする場合がある。図１の（Ａ）の遠隔システムでは、オペレータは、表示素子４２により、第２電源２２の状態を確認した上で、操作を開始することができる。
【００２２】
しかし、図１の（Ａ）の遠隔システムでは、第２電源２２がオンである場合、表示素子４２は常時点灯しており、第２電源２２の発生する電力を消費することになる。近年の低消費電力設計において電力余裕をほとんど持たない電源設計が行われており、第２の装置２０の第２電源２２も低消費電力設計される。特に、第２の装置２０がセンサ、データロガー、インサーキットエミュレータとの小型の装置である場合、一般に第２電源２２の電源供給能力は小さく、表示素子４２における消費電力の影響は大きい。さらに、第２電源２２が電池を含む場合には、電池の寿命を短くするという問題を生じる。
【００２３】
図１の（Ｂ）の例は、図１の（Ａ）の例で、第２電源２２の状態を示す表示素子４２を、第１の装置１０内に設けた場合を示す。図示のように、信号経路および電源線４１は、第１の装置１０側の部分３１Ａおよび４１Ａと、第２の装置２０側の部分３１Ｂおよび４１Ｂに分けられ、コネクタ４４Ａおよび４４Ｂにより接続される。オペレータが第１の装置１０を操作して第２の装置２０に対してアクセスする場合には、コネクタ４４Ａおよび４４Ｂを接続する。これにより、第１主回路１１と第２主回路２１は信号経路で接続された図１の（Ａ）と同じ状態になる。また、表示素子４２は、第２電源２２に接続された状態になり、第２電源２２がオン状態であれば、ＬＥＤ４３が点灯するので、オペレータが第２電源２２の状態を確認できる。
【００２４】
図１の（Ｂ）の遠隔システムでは、コネクタ４４Ａおよび４４Ｂを接続しなければ、第２電源２２から表示素子４２に電流を供給しないので、第２電源２２が表示素子４２での表示のために電力を消費することはない。しかし、第２の装置２０に対してアクセスする場合ためにコネクタ４４Ａおよび４４Ｂを接続した場合、第２電源２２がオン状態であれば、コネクタ４４Ａおよび４４Ｂが接続されている間、ＬＥＤ４３が点灯することになり、第２電源２２の電力を消費する。第２の装置２０に対してアクセスしている時間が長くなれば、上記と同様に、第２電源２２への負荷が無視できなくなり、第２電源２２が電池を含む場合には、電池の寿命を短くするという問題を生じる。
【００２５】
図２は、実施形態の遠隔システムの構成を示す図であり、（Ａ）が全体構成を、（Ｂ）が第２電源検出表示部の回路構成を示す図である。
【００２６】
図２の（Ａ）に示すように、実施形態の遠隔システムは、第１の装置５０と、第２の装置６０と、第１の装置５０と第２の装置６０の間に設けられた信号経路と、第２の装置６０から伸びる電源線と、を有する。信号経路および電源線は、図１の（Ｂ）に示したのと同様に、コネクタ７３Ａおよび７３Ｂで接続可能である。信号経路の第１の装置５０の側の部分を７１Ａで、信号経路の第２の装置６０の側の部分を７１Ｂで、表す。さらに、電源線の第１の装置５０の側の部分を７２Ａで、電源線の第２の装置６０の側の部分を７２Ｂで、表す。なお、図示していないが、信号経路７１および電源線７２は、第１の装置５０と第２の装置６０の間の電源と信号の基準となるグランド線を含むものとする。
【００２７】
第１の装置５０は、オペレータが操作する装置で、第１の装置５０の機能を実現する第１主回路５１と、第１主回路５１に電源を供給する第１電源５２と、第２電源検出表示部５３と、を有する。第１電源５２は、前述と同様の方法で実現でき、第１電源５２のオン・オフを切り替えるスイッチを設けてもよい。
【００２８】
第２の装置６０は、第１の装置５０を操作するオペレータからは直接見えない場所に配置される。例えば、第２の装置６０は、設備内の状態を検出するセンサまたはデータロガーであり、検出対象の場所に配置される。第２の装置６０は、第２の装置６０の機能を実現する第２主回路６１と、第２主回路６１に電源を供給する第２電源６２と、を有する。第２電源６２も、第１電源５２と、同様に実現できる。ここでは、第２電源６２は、電池を含み、電池の電力から第２主回路６１で使用する電源を発生するものとして説明する。
【００２９】
第１主回路５１と第２主回路６１は、信号経路７１Ａおよび７１Ｂで接続されており、例えば、第２の装置６０がセンサである場合には、第１の装置５０は、第２の装置６０にアクセスして第２の装置６０の検出信号または検出データを読み取る。また、第２の装置６０がセンサの検出した検出データを収集し蓄積するデータロガーである場合には、第１の装置５０は、定期的に第２の装置６０にアクセスして、第２の装置６０に蓄積された検出データを読み取る。また、第２の装置６０がコンピュータ等である場合には、第１の装置５０は、信号経路７１Ａおよび７１Ｂを介して第２の装置６０に所定のコマンドを与えて、所望の動作を行わせることが可能である。電源線７２Ｂは、コネクタ７３Ａおよび７３Ｂが接続されていない時には、オープンの状態であり、第２電源６２の電力は消費されない。
【００３０】
第２電源検出表示部５３は、図２の（Ｂ）に示すように、選択部８１と、表示素子８２と、導通部８３と、を有する。選択部８１は、第１電源端子８４に入力される第１電源５２と、電源線７２を介して第２電源端子８５に入力される第２電源６２の一方を選択して、表示素子８２に出力する。具体的には、選択部８１は、第１の電源がオン状態である時には第１電源５２を出力するように選択し、第１電源５２がオフ状態である時には第２電源６２を出力するように選択する。導通部８３は、第２電源６２がオン状態である時に電流を流すように動作する。言い換えれば、第２電源６２がオフ状態である時には電流を流さない。表示素子８２は、導通部８３に電流が流れる時に、第２の電源がオンであることを示す表示を行う。表示素子８２は、例えば、図示したＬＥＤのような発光素子であるが、表示可能であればどのような素子を使用してもよい。また、図２の（Ｂ）では、選択部８１、表示素子８２および導通部８３の順に直列に接続されているが、これに限定されず、使用する要素の特性に合わせて変更が可能であり、例えば、表示素子８２と導通部８３の順番を変更してもよい。
【００３１】
図３は、第２電源検出表示部５３の具体的な回路例を示す図である。
図３に示すように、第１電源端子８４は第１電源５２に接続され、第２電源端子８５は電源線７２に接続される。選択部８１は、ＰｃｈトランジスタＴｒ１と、２個のダイオードＤ１およびＤ２と、電流調整素子８６と、を有する。ダイオードＤ１は、アノードが第２電源端子８５に接続され、カソードがトランジスタＴｒ１の被制御端子（ソース）に接続される。ダイオードＤ１は、第１電源５２がオン状態で、第２電源６２がオフ状態の時に、第１電源５２から第２電源６２への電流の逆流を防止する。トランジスタＴｒ１は、ゲートが第１電源端子８４に接続され、被制御端子（ドレイン）が電流調整素子８６に接続される。ダイオードＤ２は、第１電源端子８４と電流調整素子８６の間、すなわちトランジスタＴｒ１と並列に接続される。ダイオードＤ２は、第１電源５２がオフ状態で、第２電源６２がオン状態の時に、第２電源６２から第１電源５２への電流の逆流を防止する。電流調整素子８６は、例えば抵抗であり、トランジスタＴｒ１の被制御端子（ドレイン）と、表示素子８２であるＬＥＤのアノードと、の間に接続される。導通部８３は、ＮｃｈトランジスタＴｒ２を含む。トランジスタＴｒ２は、表示素子８２であるＬＥＤのカソードと、グランド（ＧＮＤ）の間に接続され、トランジスタＴｒ２ゲートはＤ１のカソードに接続される。なお、この例では、トランジスタＴｒ１およびＴｒ２としてＭＯＳトランジスタを使用したが、バイポーラトランジスタ等を使用することも可能である。
【００３２】
第２電源検出表示部５３では、コネクタ７３Ａと７３Ｂが非接続状態であるか、第２電源６２がオフ状態の時には、第２電源端子８５に第２電源が供給されない。そのため、ダイオードＤ１のアノードには電圧が印加されない。そのため、トランジスタＴｒ２のゲートは低電圧であり、トランジスタＴｒ２オフ状態となり、第１電源５２の状態にかかわらず、表示素子（ＬＥＤ）８２は点灯しない。例えば、第１電源５２がオフの時には、いかなる経路でも表示素子（ＬＥＤ）８２に順電圧は印加されないので、表示素子（ＬＥＤ）８２は点灯しない。また、第１電源５２がオンの時には、Ｔｒ１がオフし、Ｄ２が導通するが、Ｔｒ２がオフ状態のため、表示素子（ＬＥＤ）８２に電流は流れない。
【００３３】
一方、コネクタ７３Ａと７３Ｂが接続状態で、第２電源６２がオン状態の時には、第２電源端子８５に第２電源が供給され、Ｄ１はオン状態になる。第１電源５２がオフ状態の時、第１電源端子８４は低電位になるので、Ｔｒ１はオン状態になるが、Ｄ２はオフ状態である。また、Ｔｒ２のゲートにはＤ１を介して第２電源が印加されるので、Ｔｒ２はオン状態になる。これにより、破線ｉｌで示す、第２電源端子８５から、Ｄ１、Ｔｒ１、電流調整素子８６、表示素子（ＬＥＤ）８２、Ｔｒ２の経路で電流が流れ、表示素子（ＬＥＤ）８２が点灯する。また、第１電源５２がオン状態の時、第１電源端子８４には電圧が供給され、Ｔｒ１はオフ状態になるが、Ｄ２はオン状態である。上記のように、Ｔｒ２はオン状態になるので、実線ｉ２で示す、第１電源端子８４から、Ｄ２、電流調整素子８６、表示素子（ＬＥＤ）８２、Ｔｒ２の経路で電流が流れ、表示素子（ＬＥＤ）８２が点灯する。
【００３４】
以上のように、第２電源検出表示部５３では、コネクタ７３Ａと７３Ｂが非接続状態である場合には、表示素子（ＬＥＤ）８２は点灯しない。コネクタ７３Ａと７３Ｂが接続状態で、第２電源６２がオフ状態であれば、第１電源５２の状態にかかわらず、表示素子（ＬＥＤ）８２は点灯しない。コネクタ７３Ａと７３Ｂが接続状態で、第２電源６２がオン状態の場合、第１電源５２がオフ状態であれば、表示素子（ＬＥＤ）８２は第２電源６２からの電源供給で点灯する。コネクタ７３Ａと７３Ｂが接続状態で、第２電源６２がオン状態の場合、第１電源５２がオン状態であれば、表示素子（ＬＥＤ）８２は第１電源５２からの電源供給で点灯する。
【００３５】
図４は、コネクタ７３Ａと７３Ｂが接続状態である場合に、第１電源５２および第２電源６２の状態の組合せに応じた第２電源検出表示部５３の各部の動作状態を示す図である。
【００３６】
以上説明したように、第１実施形態では、第１の装置５０が第２の装置６０に接続された状態で、第２電源６２がオフ状態であれば、表示素子（ＬＥＤ）８２は非点灯なので、オペレータは第２電源６２がオフ状態であることが判る。一方、第２電源６２がオン状態であれば、表示素子（ＬＥＤ）８２は点灯するので、オペレータは第２電源６２がオン状態であることが判る。この時、第１の装置５０の第１電源５２がオフの場合には、表示素子（ＬＥＤ）８２は第２電源６２からの電流で点灯するため、第２電源６２の電力が消費される。しかし、第１の装置５０の第１電源をオン状態にすれば、表示素子（ＬＥＤ）８２は第１電源５２からの電流で点灯するため、第２電源６２の表示素子（ＬＥＤ）８２の点灯のための電力消費は低減される。したがって、第１の装置５０から第２の装置６０に長時間アクセスしても、第２電源６２での電力消費は抑制される。
【００３７】
前述のように、第２の装置６０の第２電源６２の状態を知った上で、第１の装置５０の第１電源５２を投入することが要求される場合がある。この条件は、第２電源６２がオン状態の時に第１電源５２を投入する場合と、逆に第２電源６２がオフ状態の時に第１電源５２を投入する場合の、いずれの場合もあり得る。実施形態では、第１の装置５０を第２の装置６０に接続すれば、第２電源検出表示部５３の表示素子により、第２の装置６０の第２電源６２の状態を知ることができるので、いずれの場合にも対応できる。また、第１の装置５０を第２の装置６０に接続し、第２の装置６０の第２電源６２の状態を確認した後ただちに第１電源５２を投入すれば、第２電源６２の消費電流の増加も最小限にできる。
【００３８】
以上、実施形態を説明したが、ここに記載したすべての例や条件は、発明および技術に適用する発明の概念の理解を助ける目的で記載されたものである。特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【００３９】
５０    第１の装置
５１    第１主回路
５２    第１電源
５３    第２電源検出表示部
６０    第２の装置
６１    第２主回路
６２    第２電源
７１Ａ、７１Ｂ    信号経路
７２Ａ、７２Ｂ    電源線
７３Ａ、７３Ｂ    コネクタ
８１    選択部
８２    表示素子
８３    導通部
８４    第１電源端子
８５    第２電源端子
【図１】
2014060339.tif 000003
【図２】
2014060339.tif 000004
【図３】
2014060339.tif 000005
【図４】
2014060339.tif 000006